(57)【要約】【課題】  動作モードで状態異常を検出し低電力モードに切換っても状態異常報知を継続。【解決手段】  動作モードで動作電圧＋５Ｖを出力し低電力モードで動作電圧の出力を停止する電源装置２００；低電力モード／動作モードの切換えをするモード制御手段９１；動作電圧＋５Ｖによって動作し、シートを移送する移送手段４５〜４７；異常状態を検出する状態検出手段１１１ａ，１１１ｂ，９１；状態報知手段１１４ａ，１１４ｂ；動作電圧＋５Ｖによって動作し、移送手段を制御し、状態検出手段が異常状態を検出すると状態報知手段に報知指示を与える移送制御手段９０；および、動作モードであるときは前記報知指示を状態報知手段に与え、低電力モードであるときは状態検出信号を状態報知手段に与える切替手段１０６〜１０８；を備え、状態報知手段は、電源装置が低電力モードで出力している休止活動電圧＋５ＶＥを用いて、状態検出信号に応じて状態報知を行う。【選択図】  図５
2008298987.tif 000002
【特許請求の範囲】
【請求項１】
低電力モードと動作モードを持ち、動作モードにおいて動作電圧を出力し低電力モードにおいては該動作電圧の出力を停止する電源装置；
該電源装置を低電力モードから動作モードに、また、その逆に切り換えるモード制御手段；
前記動作電圧の電力によって動作し、移送路に沿ってシートを移送する移送手段；
シート移送動作を阻害する又は保留すべき状態を検出する状態検出手段；
状態報知手段；
前記動作電圧の電力によって動作し、前記移送手段の動作を制御し、前記状態検出手段が前記状態を検出すると前記状態報知手段に報知指示を与える移送制御手段；および、
前記動作モードであるときは前記報知指示を前記状態報知手段に与え、前記低電力モードであるときは前記状態検出手段の前記状態を検出した信号を前記状態報知手段に与える切替手段；を備え、
前記状態報知手段は、前記電源装置が低電力モードで出力している電圧の電力を用いて、前記状態を検出した前記信号に応じて状態報知を行う；シート移送装置。
【請求項２】
前記切替手段は、前記動作電圧があるときは前記報知指示を前記状態報知手段に与え、前記動作電圧がないときは前記状態検出手段の前記状態を検出した信号を前記状態報知手段に与える；請求項１に記載のシート移送装置。
【請求項３】
前記切替手段は、前記低電力モードであるときは前記状態検出手段の前記状態を検出した信号の出力ラインを、前記状態報知手段の報知指示入力ラインに接続する；請求項１又は２に記載のシート移送装置。
【請求項４】
前記モード制御手段は、前記移送手段によるシート移送が終了又は中断すると計時を開始し、設定時間を計時すると前記電源装置を動作モードから低電力モードに切換える；請求項１乃至３のいずれか１つに記載のシート移送装置。
【請求項５】
シート移送装置は更に、シート移送を必要とする作業の条件および開始を指示する入力手段を含む操作ボードを備え；前記モード制御手段は、前記操作ボードの入力手段の指示に応答して前記電源装置を低電力モードから動作モードに切換える；請求項１乃至４のいずれか１つに記載のシート移送装置。
【請求項６】
前記操作ボードは、前記設定時間を変更するための入力手段を更に含む；請求項５に記載のシート移送装置。
【請求項７】
状態検出手段は、前記移送路の所定位置にあってシートの有無を検出するシート検出回路である；請求項１乃至６のいずれか１つに記載のシート移送装置。
【請求項８】
報知手段は、ＬＥＤを含む表示回路である；請求項１乃至８に記載のシート移送装置。
【請求項９】
請求項１乃至８のいずれか１つに記載のシート移送装置；および、
該シート移送装置の前記移送手段が移送するシートに画像を形成する作像手段；を備える画像形成装置。
【請求項１０】
更に、原稿上の画像を読み取って画像データを生成する原稿スキャナ；および、該画像データを前記作像手段が画像形成に用いる記録用画像データに補正して前記作像手段に出力する画像データ処理手段；を備える請求項９に記載の画像形成装置。
【発明の詳細な説明】
【技術分野】
【０００１】
本発明は、記録紙，用紙，転写紙，ＯＨＰシートなどのシート状記録媒体（本明細書では単に用紙又はシートと称する）を供給するシート給紙装置、及び、このシート給紙装置を備えた画像形成装置に係り、更に詳しくは、低電力モード（省エネモード）の機能を備えたシート給紙装置及び画像形成装置に関する。本発明は例えば、複写機，プリンタ，ファクシミリ，デジタル複合機などに用いることが出来る。
【背景技術】
【０００２】
従来より、複写機，プリンタ，ファクシミリなどの画像形成装置において装置の稼動状況をユーザに知らせるために、ＬＥＤなどの発光素子を点灯させる構成があることはよく知られている。たとえば、正常動作中は緑を、紙詰まりなどの異常時は赤を発光表示する。
【０００３】
【特許文献１】特開２００５−２５０６６号公報
【特許文献２】特許第３６２７７２３号公報。
【０００４】
シート給紙装置内の、状態検出手段で状態検出を行い、正常又は異常状態を報知するために発光素子を点灯又は点滅させる状態検出および報知、の代表的なものの１つに、シート検出回路でシートの有無を検出して、用紙トラブル（ペーパジャム或いは不送りもしくは機内滞留）を判定してこれらを表す表示を行う用紙搬送監視がある。その一例では、まずシート検出回路からのシート検出信号が装置本体内のＣＰＵへ送信される。ＣＰＵではその信号に基づいて用紙トラブルの有無を判定し、用紙トラブルがあると表示回路に発光指示を与えて表示回路の発光素子を点灯する。この構成だとＣＰＵで複数の発光素子を制御することが出来るので、各発光素子の点灯制御をそれぞれ行うことができ，更に点滅や点滅間隔なども自在に制御することができる。
【０００５】
こうした構成において用紙搬送状況に紙詰まりなどの異常が発生した場合には、通常、その異常が解消されるまでは動作モードを継続して発光素子は異常発生を意味する点灯（点滅も含む）を続け、ユーザに異常状態であることを知らせ続けると、電力を無駄に消費する。そこで、例えば特許文献１及び２には、画像形成を行わない低電力モードのときは画像形成に必要なセンサの電源を遮断することが提案されている。しかし、異常状態のまま、低電力モードになるようにすると、シート給紙制御を行うＣＰＵと表示回路への電源供給が停止されるので、発光素子に通電することができず、ユーザに異常状態であることを知らせることが出来ないという欠点がある。
【０００６】
異常状態になると低電力モードへの切換えを行わないで動作モードを継続して異常表示を継続する場合は、夜中などユーザが装置の周囲にいない場合に、例えばファクシミリ受信などで装置が給紙動作を行ない、紙詰まりが起こった場合には、低電力消費モードに移行せず、翌朝にユーザが紙詰まりを解消させるまでは、低電力消費モードに移行することができず、電力を無駄に消費してしまう。
【発明の開示】
【発明が解決しようとする課題】
【０００７】
本発明は、低電力消費で状態異常の報知を継続することを目的とする。換言すれば、低電力モードに切換っても、状態異常の報知を行うことを目的とする。
【課題を解決するための手段】
【０００８】
（１）低電力モードと動作モードを持ち、動作モードにおいて動作電圧(+5V)を出力し低電力モードにおいては該動作電圧の出力を停止する電源装置(200)；
該電源装置を低電力モードから動作モードに、また、その逆に切り換えるモード制御手段(91)；
前記動作電圧の電力によって動作し、移送路に沿ってシートを移送する移送手段(47,45,46)；
シート移送動作を阻害する又は保留すべき状態を検出する状態検出手段(111a,111b,91)；
状態報知手段(114a,114b)；
前記動作電圧の電力によって動作し、前記移送手段の動作を制御し、前記状態検出手段が前記状態を検出すると前記状態報知手段に報知指示を与える移送制御手段(90)；および、
前記動作モードであるときは前記報知指示を前記状態報知手段に与え、前記低電力モードであるときは前記状態検出手段の前記状態を検出した信号を前記状態報知手段に与える切替手段(106〜108)；を備え、
前記状態報知手段は、前記電源装置が低電力モードで出力している電圧(休止活動電圧+5VE)の電力を用いて、前記状態を検出した前記信号に応じて状態報知を行う；シート移送装置。
【０００９】
なお、理解を容易にするために括弧内には、図面に示し後述する実施例の対応要素の符号又は対応事項を、例示として参考までに付記した。以下も同様である。
【発明の効果】
【００１０】
これによれば、低電力モードに移行し、動作電圧(+5V)が消えた後も、状態検出手段の前記状態を検出した信号に基づいて状態報知手段が報知をおこなうので、装置使用者は装置が低電力モードになっていたとしても装置の状況（正常／異常）を知ることができる。
【００１１】
（２）前記切替手段は、前記動作電圧があるときは前記報知指示を前記状態報知手段に与え、前記動作電圧がないときは前記状態検出手段の前記状態を検出した信号を前記状態報知手段に与える；上記（１）に記載のシート移送装置。
【００１２】
（３）前記切替手段は、前記低電力モードであるときは前記状態検出手段の前記状態を検出した信号の出力ラインを、前記状態報知手段の報知指示入力ラインに接続する；上記（１）又は（２）に記載のシート移送装置。
【００１３】
上記（１）乃至（３）によれば、比較的に簡易な構成(106〜108)の付加によって、低電力モードでも、シート移送動作を阻害する又は保留すべき状態があることを示す報知を継続することが出来る。
【００１４】
（４）前記モード制御手段は、前記移送手段によるシート移送が終了又は中断すると計時を開始し、設定時間(Td1)を計時すると前記電源装置を動作モードから低電力モードに切換える；上記（１）乃至（３）のいずれか１つに記載のシート移送装置。
【００１５】
（５）シート移送装置は更に、シート移送を必要とする作業の条件および開始を指示する入力手段を含む操作ボード(10)を備え；前記モード制御手段は、前記操作ボードの入力手段の指示に応答して前記電源装置を低電力モードから動作モードに切換える；上記（１）乃至（４）のいずれか１つに記載のシート移送装置。
【００１６】
（６）前記操作ボードは、前記設定時間(Td1)を変更するための入力手段(16,11,13)を更に含む；上記（５）に記載のシート移送装置。これによれば、低電力モードまでの移行時間をユーザが自由に設定することができる。
【００１７】
（７）状態検出手段は、前記移送路の所定位置にあってシートの有無を検出するシート検出回路である；上記（１）乃至（６）のいずれか１つに記載のシート移送装置。
【００１８】
（８）報知手段は、ＬＥＤを含む表示回路である；上記（１）乃至（８）に記載のシート移送装置。
【００１９】
（９）上記（１）乃至（８）のいずれか１つに記載のシート移送装置；および、
該シート移送装置の前記移送手段が移送するシートに画像を形成する作像手段(41〜44,91)；を備える画像形成装置(40)。
【００２０】
（１０）更に、原稿上の画像を読み取って画像データを生成する原稿スキャナ(20)；および、該画像データを前記作像手段が画像形成に用いる記録用画像データに補正して前記作像手段に出力する画像データ処理手段(94)；を備える上記（９）に記載の画像形成装置(MF1)。
【発明を実施するための最良の形態】
【００２１】
本発明の他の目的および特徴は、図面を参照した以下の実施例の説明より明らかになろう。
【実施例１】
【００２２】
図１に、本発明の一実施例の複合機能フルカラーデジタル複写機ＭＦ１の外観を示す。このフルカラー複写機は、大略で、操作ボード１０と、カラースキャナ２０と、自動原稿送り装置（ＡＤＦ）３０と、カラープリンタ４０と、給紙バンク５０の各ユニットで構成されている。機内の画像データ処理装置には、パソコンＰＣが接続したＬＡＮ（Local Area Network）が接続されている。また、機内のファクシミリコントローラＦＣＵ６０（図２）は、交換機ＰＢＸおよび公衆通信網ＰＮを介して、ファクシミリ通信をすることが出来る。
【００２３】
プリンタ４０には、転写ユニットがあり、該転写ユニットには、無端ベルトである転写ベルト４１がある。転写ベルト４１は、３つの支持ローラと１つのテンションローラに掛け廻されており、時計廻りに回動駆動される。テンションローラの近くに、画像転写後に転写ベルト４１上に残留する残留トナーを除去する転写体クリーニングユニットがある。
【００２４】
１つの支持ローラともう１つの支持ローラとの間の転写ベルト４１には、その移動方向に沿って、Ｃ，Ｍ，Ｙ，Ｂｋ各色作像用の作像ユニットが装備され、これらの中にある各感光体ドラムに、転写ベルト４１を挟んで対向して、転写ローラ４２がある。前記作像装置の上方には、各色感光体ユニットの各感光体ドラムに画像形成のためのレーザ光を照射するレーザ露光ユニット４３がある。感光体ドラムを、帯電ローラ４４が均一に帯電し、帯電面をレーザ露光ユニット４３が画像信号で変調したレーザを投射する。これによって生じた静電潜像を、現像器が現像してトナー像とする。このトナー像が転写ベルト４１に転写される。
【００２５】
転写ベルト４１の下方には、搬送ベルト４５がある。搬送ベルト４５は、転写ベルト４１上のトナー像を、用紙上に転写する。トナー像を転写した用紙（転写紙）は、搬送ベルト４５で定着ユニット４６に送り出される。搬送ベルト４５および定着ユニット４６の下方に、表面に画像を形成した直後の用紙を、裏面にも画像を記録するために表裏を反転して送り出すシート反転ユニットである両面ドライブユニットがある。
【００２６】
スタートスイッチが押されると、原稿自動搬送装置（ＡＤＦ）３０に原稿があるときは、それをスキャナ２０のコンタクトガラス上に搬送してから、ＡＤＦ３０に原稿が無いときにはコンタクトガラス上に手置きの原稿を読むために直ちに、スキャナ２０を駆動し、スキャナ２０内の第１キャリッジおよび第２キャリッジを、読み取り走査駆動する。そして、第１キャリッジ上の光源からコンタクトガラスに光を発射するとともに原稿面からの反射光を第１キャリッジ上の第１ミラーで反射して第２キャリッジに向け、第２キャリッジ上のミラーで反射して結像レンズを通して読取りセンサであるＣＣＤ２１（図２）に結像する。読取りセンサで得た画像信号に基づいてＣ，Ｍ，Ｙ，Ｂｋ各色記録データが生成される。
【００２７】
また、スタートスイッチが押されたときに、転写ベルト４１の回動駆動が開始されるとともに、前記作像装置の各ユニットの作像準備が開始され、そして各色作像の作像シーケンスが開始されて、各色用の感光体ドラムに各色記録データに基づいて変調された露光レーザが投射され、各色作像プロセスにより、各色トナー像が転写ベルト４１上に一枚の画像として、重ね転写される。このトナー画像の先端が搬送ベルト４５に進入するときに同時に先端が搬送ベルト４５に進入するようにタイミングをはかって用紙がレジストローラ対４７から転写ベルト４５に送り込まれ、これにより転写ベルト４１上のトナー像が用紙に転写する。転写ベルト４１には、転写ローラ４２によって、トナーを転写する電圧が印加される。トナー像が移った用紙は定着ユニット４６に送り込まれ、そこでトナー像が用紙に定着する。
【００２８】
なお、上述の用紙は、給紙バンク５０の給紙トレイ（給紙段又はカセットとも言う）５１〜５３の直近上方の給紙ローラの１つを選択回転駆動し、給紙バンク５０に多段に備える給紙トレイ５１〜５３の１つからシートを繰り出し、分離ローラで１枚だけ分離して、縦配列の搬送コロユニットに入れ、上方に搬送してプリンタ４０内の搬送コロユニットに導き、搬送コロユニットのレジストローラ対４７に突き当てて止めてから、前述のタイミングで搬送ベルト４５に送り出されるものである。シート検出回路１１１ａが、レジストローラ対４７の直前に到来した用紙を検出する。右側端の手差しトレイ上に用紙を差し込んで給紙することもできる。ユーザが手差しトレイ上に用紙を差し込んでいるときには、プリンタ４０が手差しトレイ部の給紙ローラを回転駆動して手差しトレイ上のシートの一枚を分離して手差し給紙路に引き込み、同じくレジストローラ対４７に突き当てて止める。
【００２９】
定着ユニット４６で定着処理を受けて排出される用紙は、切換爪で排出ローラに案内して図示を省略した排紙トレイ上にスタックする。または、切換爪で両面ドライブユニットに案内して、そこで反転して再び転写位置へと導き、裏面にも画像を記録して後、排出ローラで排紙トレイ上に排出する。シート検出回路１１１ｂが、定着ユニット４６から出る定着済用紙を検出する。一方、画像転写後の転写ベルト４１上に残留する残留トナーは、図示を省略した転写体クリーニングユニットで除去し、再度の画像形成に備える。
【００３０】
図２に、図１に示す複合機能複写機ＭＦ１の電装系統のシステム構成を示す。電装システムは、画像形成装置の全体制御を行うコントローラ７０，コントローラ７０に接続された、画像形成装置の操作ボード１０，画像データを記憶するＨＤＤ７８，アナログ回線を使用して外部との通信を行う通信コントロール装置インターフェースボード７９，ＬＡＮインターフェースボード８０，汎用ＰＩＣバスに接続された、ＦＡＸのコントロールユニット６０，ＩＥＥＥ１３９４ボード，無線ＬＡＮボード，ＵＳＢボード等８１と、ＰＣＩバスでコントローラに接続されたエンジン制御９０，エンジン制御９０に接続された、画像形成装置のＩ／Ｏを制御するＩ／Ｏボード１００、及び、コピー原稿（画像）を読み込むスキャナーボード（ＳＢＵ：Sensor Board Unit）２２、ならびに画像データをドラム上に書き込むＬＤＢ（レーザダイオードボード）４３等で構成される。
【００３１】
原稿を光学的に読み取る読取ユニット２０は、原稿に対する原稿照明光源の走査を行い、ＣＣＤ２１に原稿像を結像する。原稿像すなわち原稿に対する光照射の反射光をＣＣＤ２１で光電変換してＲ，Ｇ，Ｂ画像信号を生成する。
【００３２】
通信コントロール装置インターフェースボード７９は、装置に不具合が発生した場合に外部の遠隔地診断装置に即時に通報し、故障個所の内容，状況等をサービスマンが認識し早急に修理することを可能としている。また、それ以外に装置の使用状況等の発信にも使用されている。
【００３３】
図２に示すＣＣＤ２１は、３ラインカラーＣＣＤで、ＥＶＥＮｃｈ（偶数画素チャンネル）／ＯＤＤｃｈ（奇数画素チャンネル）のＲ、Ｇ、Ｂ画像信号を生成し、ＳＢＵボードのアナログＡＳＩＣ(Application Specific IC)に入力する。ＳＢＵボードにはアナログＡＳＩＣ及び，ＣＣＤ、アナログＡＳＩＣの駆動タイミングを発生する回路を備えている。ＣＣＤ２１の出力は、アナログＡＳＩＣ内部のサンプルホールド回路により、サンプルホールドされその後、Ａ／Ｄ変換され、Ｒ、Ｇ、Ｂの画像データに変換し、且つシェーディング補正し、そして出力Ｉ／Ｆ（インターフェース）２３で画像データバスを介して画像データ処理器ＩＰＰ（Image Processing Processor；以下では単にＩＰＰと記述）９４に送出する。
【００３４】
ＩＰＰ９４は、画像処理をおこなうプログラマブルな演算処理手段であり、分離生成（画像が文字領域か写真領域かの判定：像域分離），地肌除去，スキャナガンマ変換，フィルタ，色補正，変倍，画像加工，プリンタガンマ変換および階調処理を行う。ＳＢＵ２２からＩＰＰ９４に転送されたＲ，Ｇ，Ｂ画像データは、ＩＰＰ９４にて光学系およびデジタル信号への量子化に伴う信号劣化（スキャナ系の信号劣化）を補正され（分離生成，地肌除去，スキャナガンマ変換，フィルタ）、フレームメモリ７７に書き込まれる。コピーの場合には、この画像データはフレームメモリ７７から読み出されて、ＩＰＰ９４でプリンタ出力用の画像データＣ，Ｍ，Ｙ，Ｂに補正され（色補正，変倍，画像加工，プリンタガンマ変換，階調処理）、プリンタ４０のＬＤＢ４３に出力される。
【００３５】
システムコントローラ７０には、ＣＰＵ７１及びシステムコントローラボードの制御を行うＲＯＭ７２，ＣＰＵ１が使用する作業用メモリであるＲＡＭ７３，リチウム電池を内臓し、ＳＲＡＭのバックアップと時計を内臓したＮＶ−ＲＡＭ７４，システムコントローラボード７０のシステバス制御，フレームメモリ制御，ＦＩＦＯ等のＣＰＵ周辺を制御するＡＳＩＣ７５，そのインターフェース回路および状態変化検知回路ＡＣＤ等が搭載されている。
【００３６】
状態変化検知回路ＡＣＤには、スキャナ２０の圧板スイッチおよびＡＤＦ３０のフィラーセンサ（原稿有無センサ）の各検出信号線，操作ボード１０の電源キー１９のキー操作検出信号線、ならびに、ＦＣＵ６０の受信検出信号線が接続されている。状態変化検知回路ＡＣＤには、主電源スイッチ２０１（図４）がオンの間、電源回路２００が休止モードであっても継続して出力する休止活動電圧＋５ＶＥが印加される。この＋５ＶＥが加わっている限り、検知回路ＡＣＤに接続された上記信号線の何れかに信号変化があると、これを表す変化検出信号をＣＰＵ７１に与える。ＣＰＵ７１はこの信号に応答して電源回路２００を、休止モードから、複写機各部に動作電圧＋５Ｖおよび＋２４Ｖを出力するスタンバイモード（動作モード）に切換える。
【００３７】
システムコントローラ７０は、スキャナアプリケーション，ファクシミリアプリケーション，プリンタアプリケーションおよびコピーアプリケーション等の複数アプリケーションの機能を有し、システム全体の制御を行う。操作ボード１０の入力を解読して本システムの設定とその状態内容を操作ボードの表示部に表示する。
【００３８】
ＰＣＩバス８２には多くのユニットが接続されており、画像データバス／制御コマンドバスで、画像データと制御コマンドが時分割で転送される。
【００３９】
通信コントロール装置インターフェースボード７９は、通信コントロール装置８３と、コントローラ７０との通信インターフェースボードである。コントローラ７０との通信は、全二重非同期シリアル通信で接続されている。通信コントロール装置８３とは、ＲＳ−４８５インターフェース規格により、マルチドロップ接続されている。遠隔の管理システムとの通信は、この通信コントローラ装置インターフェースボード７９を経由して実施される。
【００４０】
ＬＡＮインターフェースボード８０は、社内ＬＡＮに接続されている。社内ＬＡＮとコントローラ７０との通信インターフェースボードであり、ＰＨＹチップを搭載している。ＬＡＮインターフェースボード８０とコントローラ７０とは、ＰＨＹチップＩ／Ｆ及びＩ２ＣバスＩ／Ｆの標準的な通信インターフェースで接続されている。外部機器との通信はこのＬＡＮインターフェースボード８０を経由して実施される。
【００４１】
ＨＤＤ７８は、システムのアプリケーションプログラムならびにプリンタ、作像プロセス機器の機器付勢情報を格納するアプリケーションデータベース、ならびに、読取り画像や書込み画像のイメージデータ、すなわち画像データ、ならびにドキュメントデータを蓄える画像データベースとして用いられる。物理インターフェース、電気的インターフェース共に、ATA/ATAPI-4に準拠したインターフェースでコントローラに接続されている。
【００４２】
操作ボード１０には、ＣＰＵ及びＲＯＭ，ＲＡＭ、ＬＣＤ及びキー入力を制御するＡＳＩＣ（ＬＣＤＣ）が搭載されている。ＲＯＭには操作ボード１０の入力読込み、及び表示出力を制御する、操作ボード１０の制御プログラムが書き込まれている。ＲＡＭは、ＣＰＵで使用する作業用メモリである。システムコントローラ７０との通信により、パネルを操作して使用者がシステム設定の入力を行う入力と、使用者にシステムの設定内容，状態を表示する、表示および入力の制御を行っている。
【００４３】
システムコントローラ７０のワークメモリ７６から出力されたブラック（Ｂ）、イエロー（Ｙ）、シアン（Ｃ）、マデンタ（Ｍ）の各色の書き込み信号は、ＬＤＢ  （Laser Diode control Board）のＣ，Ｍ，Ｙ，ＢのＬＤ（Laser Diode）書き込み回路に入力される。ＬＤ書き込み回路でＬＤ電流制御（変調制御）が行われ、各ＬＤに出力される。
【００４４】
エンジン制御９０は、画像形成の作像作成制御を主として行い、ＣＰＵ９１及び、画像処理を行うＩＰＰ９４、複写およびプリントアウトを制御するため必要なプログラムを内蔵したＲＯＭ９２、その制御に必要なＲＡＭ９３、及びＮＶ―ＲＡＭ９５を搭載している。ＮＶ−ＲＡＭ９５には、ＳＲＡＭと、電源ＯＦＦを検知して、ＥＥＰＲＯＭにストアするメモリを搭載している。また、他の制御を行なうＣＰＵ７１，１０１などとの信号の送受信を行なう、シリアルインターフェースも備えているＩ／Ｏ  ＡＳＩＣ９６は、エンジン制御ボード９０が実装された、近くのＩ／Ｏに接続されたデバイス（カウンター、ファン、ソレノイド、モーター等）を制御するＡＳＩＣである。Ｉ／Ｏ制御ボード１００とエンジン制御ボード９０とは同期シリアルインターフェース接続されている。
【００４５】
Ｉ／Ｏ制御ボード１００には、サブＣＰＵ１０１を搭載しており、Ｐセンサ、Ｔセンサ等のアナログ制御も含む画像形成装置のＩ／Ｏ制御を行っている。ドアーが開閉された時に、新しいプロセスカートリッジの装着を検知する。図２のＩ／Ｏ制御ボード１００に接続されたドアーＳＷがオープンになると、プロセスカートリッジを入れ替えた可能性があるので、確認を行い、結果をエンジン制御９０に送信する。
【００４６】
インターフェース回路１０４は、プロセスカートリッジに搭載されたＩＣタグとのインターフェース回路である。非接触通信手段１０５と、本体制御部との通信は非同期のシリアルインターフェースで行われる。本体側から出力された信号を、非接触通信手段５１６は伝送用の所定の信号に変調して、送受信兼用アンテナに送る。プロセスカートリッジ側の非接触通信手段は、プロセスカートリッジの送受信兼用アンテナで受けた受信信号を伝送用の所定信号から復調した後パラレル信号に変化して、プロセスカートリッジのＣＰＵに送る。プロセスカートリッジ側のＩＣタグのＣＰＵから非接触通信手段により、本体側に送信する場合も同じ動作を行なう。
【００４７】
図３に示す様に、操作ボード１０には、液晶タッチパネル１１のほかにキー群１２がある。キー群１２には、テンキー１３，クリア／ストップキー１４，スタートキー１５，初期設定キー１６，モード切換えキー１７，テスト印刷キー１８および電源キー１９がある。ＵＲＬ，ファイル名，フォルダ名等の入力，設定用ならびに短縮登録用の、平仮名を付記したアルファベットは、それらの入力ステージで液晶タッチパネル１１にキーボタンで表示される。電源キー１９は、休止モード（低電力モード）から画像印刷が可能なスタンバイモード（動作モード）に、またその逆への切換えを指示するための操作キーである。休止モードが設定されている時に電源キー１９が一回押されると、休止モードからスタンバイモードに切換る。スタンバイモードであるときに電源キー１９が一回押されると、スタンバイモードから休止モードに切換る。テスト印刷キー１８は、設定されている印刷部数に関わらず１部だけを印刷し、印刷結果を確認するためのキーである。
【００４８】
初期設定キー１６を押す事で、機械の初期状態を任意にカスタマイズする事が可能である。休止モードへの移行時間Ｔｄ１を設定したり、機械が収納している用紙サイズを設定したり、コピー機能のリセットキーを押したときに設定される状態を任意に設定可能である。初期設定キー１８が操作されると、各種初期値を設定するための「初期値設定」機能を指定するための選択ボタンが表示される。「移行時間Ｔｄ１設定」機能を選択して、移行時間Ｔｄ１を変更することが出来る。すなわち、コピー又は印刷を終了又は中断してから、休止モードに切り換えるまでの移行時間Ｔｄ１をユーザが自由に設定することができる。
【００４９】
液晶タッチパネル１１には、各種機能キーならびに選択した機能の実行条件を入力する入力キーおよびメッセージなどが表示される。液晶タッチパネル１１には、「コピー」機能，「配信スキャナ」機能，「登録」機能，「メディア書込み」機能，「印刷」機能，「メディア出力」機能および「ファクシミリ」機能の選択用および実行中を表わす機能選択キーが表示される。機能選択キーにユーザがタッチすると、その機能に定まった入出力画面が液晶タッチパネル１１に表示される。
【００５０】
例えば「複写」機能が指定されているときには、図３に示すように、機能キー群ならびに部数及び画像形成装置の状態を示すメッセージが表示される。機能キー群の中には、印刷色指定キー「黒（ＢＫ）」，「フルカラー」，「自動色選択」，「青（Ｃ）」，「赤（Ｍ）」および「黄（Ｙ）」指定キーがある。オペレータが液晶タッチパネル１１に表示されたキーにタッチすると、操作ボード１０はオペレータ入力として読み込み、選択された機能を示すキーを、指定中を表す灰色に反転表示する。スキャナ１に原稿をセットしてスタートキーを押すことにより、コピーをすることが出来る。
【００５１】
「配信スキャナ」選択キーにユーザがタッチすると、原稿をスキャナ２０で読み取って、画像データをネットワークＩ／Ｆ１０を介して直接接続のＰＣ又はネットワークを介して通信できるＰＣ等に送信することが出来る。「登録」機能は、スキャナ２０が読み取った画像データ又は外部（ネットワークＩ／Ｆ１０，メディアＩ／Ｆ１１等）から入力された書画情報をＨＤＤ７８に登録するものである。「メディア書込み」機能は、スキャナ２０で原稿を読み取って、メディアＩ／Ｆ１１を介してリムーバブル  メディア（例えばメモリカード）に格納するものである。「印刷」機能は、ＨＤＤ７８に登録した書画情報をプリンタ４０でプリントアウトするものである。「メディア出力」機能は、メディアＩ／Ｆ１１を介して、リムーバブル  メディアの画像ファイルの画像データを読み出して、プリンタ４０で印刷するものである。「ファクシミリ」機能は、スキャナ２０で原稿を読み取ってファクシミリ送信するものである。
【００５２】
図４に、図１および図２に示す複写機ＭＦ１の各部に動作電圧を与える電源回路２００の概要を示す。主電源スイッチである元電源スイッチ（メインスイッチ）２０１が閉じられると、商用交流１００Ｖが、定着ユニット４６の定着ヒータに給電するＡＣ制御回路２１０に印加されると共に、電源回路２００の第１電源２０２に加わり、第１電源２０２が、休止活動電圧である５Ｖ電圧（＋５ＶＥ）を出力する。これによってコントローラ７０に休止活動電圧＋５ＶＥが加わり、コントローラ７０がスイッチ（ＳＷ）２０３および２０４を閉じる。これにより、スイッチ２０３が各部に、動作電圧＋５Ｖを出力すると共に、スイッチ２０４がリレー２０５のリレーコイルに通電し、リレー２０５が駆動されてＯＮし、第２電源２０６に商用交流１００Ｖが加わり、第２電源２０６が２４Ｖ電圧＋２４Ｖを出力する。
【００５３】
第１電源２０２および第２電源２０６ともに、商用交流１００Ｖを直流に整流し平滑化する整流平滑回路および該直流を設定電圧（５Ｖ，２４Ｖ）の直流に変換するＤＣ／ＤＣコンバータを内蔵している。そしてＤＣ／ＤＣコンバータは、１次側チョッピング回路（スイッチングレギュレータ）のスイッチング素子のＯＮ／ＯＦＦのＰＷＭ(Pulse Width Modulation)制御によって、設定電圧（５Ｖ，２４Ｖ）に安定化しかつ過電流を抑制した安定化直流電力を出力するものである。
【００５４】
電源回路２００には、省エネモードである休止モードと、動作モードであるスタンバイモードとの切り換えを行うための、省エネ制御用のスイッチ２０３，２０４が付加されている。スイッチ２０３は第１電源２０２が出力する休止活動電圧＋５ＶＥ（＋５Ｖの電圧）の出力ラインに介挿されているが、この実施例では、スイッチ２０４は、第２電源２０６への給電／遮断を行うスイッチング手段であるリレー２０５をＯＮ／ＯＦＦする制御ラインに介挿されている。省エネ制御用のスイッチ２０３，２０４のオン／オフを行うための制御信号がコントローラボード７０からスイッチ２０３，２０４に与えられる。コピースタートあるいはプリントコマンドに応答して実質上遅れ時間無く画像形成を開始することが出来る「スタンバイモード」（待機モード；通常モード；動作モード）では、コントローラボード７０は上記制御信号でスイッチ２０３および２０４を共にオンにしている。「休止モード」ではコントローラボード７０は、＋２４Ｖを給電するスイッチ２０４および＋５Ｖを給電するスイッチ２０３を、ともにオフにする。しかし休止モードでは、スイッチ２０３，２０４がオフではあるが、原稿スキャナ１００の圧板スイッチ，ＡＤＦ１２０のフィラーセンサおよび操作ボード１０の電源キー１９スイッチ２１の各検出信号線には、コントローラボード７０の状態変化検知回路ＡＣＤにおいて検出電圧として休止活動電圧＋５ＶＥが印加される。また、パソコンＰＣのプリントコマンドを検知する電気回路、および、ファクシミリコントロールユニットＦＣＵのファクシミリ受信検知回路に、休止活動電圧＋５ＶＥが継続して印加される。
【００５５】
複写機ＭＦ１の内部には、多くの状態検出手段が備わっている。状態検出手段の代表的なものの１つは、給紙トレイ５１〜５３から繰り出した用紙の搬送異常（ペーパジャム，残留）を検出するシート検出回路である。異常を検出した場合の数種の報知手段も備わっており、報知手段の代表的なものの１つは表示回路であり、表示回路に用いられている表示素子の代表的なものは発光ダイオード（ＬＥＤ）である。
【００５６】
図５に、複写機ＭＦ１備わった、状態検出手段であるシート検出回路の代表例２つ（１１１ａ，１１１ｂ）と、報知手段である表示回路の代表例２つ（１１４ａ，１１４ｂ）の、エンジン制御９０のＣＰＵ９１による、シート検出信号読み込みルートおよび異常表示指示信号出力ルートの概要を示す。
【００５７】
シート検出回路１１１ａは、反射型光センサであって、発光ダイオード１１２ａおよびフォトトランジスタ１１３ａを備える。発光ダイオード１１２ａは前方に光を照射し、フォトトランジスタ１１３ａは前方に用紙があった場合の用紙で反射された照射光を受光する。すなわち、シート検出回路１１１ａの前方に用紙があると低レベルＬの、用紙がないと高レベルＨのシート検出信号を発生し、このシート検出信号を、インターフェース回路１０４がＩ／Ｏ制御１００に出力する。
【００５８】
シート検出回路１１１ｂの構成および機能は、シート検出回路１１１ａと同じであるが、用紙の搬送路の、シート検出回路１１１ａよりも下流に設置されている。この実施例では、シート移送方向に関して、シート検出回路１１１ａはレジストローラ対４７の直前に位置し、シート検出回路１１１ｂは、定着ユニット４６の直後に位置する（図１）。
【００５９】
エンジン制御９０のＣＰＵ９１は、給紙トレイ５１〜５３のいずれかから用紙を繰り出すと、該繰り出しから、給紙トレイ対応のタイミングを計ってシート検出回路１１１ａのシート検出信号の読み込みを開始して、設定時間内にシート検出回路１１１ａが用紙を検出しないと、用紙の繰り出し駆動および移送駆動を停止し定着ユニット４６への給電を停止して、Ｉ／Ｏ制御１００およびインターフェース回路１０４を介して表示回路１１４ａに、表示（点灯）指示信号（Ｌ）を出力する。シート検出回路１１１ａが適正タイミングで用紙を検知したときには、ＣＰＵ９１は、用紙がレジストローラ対４７に到達する直前の設定時間の間、Ｉ／Ｏ制御１００を介してシート検出回路１１１ａが出力しているシート検出信号を読み込む。また、用紙が定着ユニット４６から出始める直後の設定時間の間、Ｉ／Ｏ制御１００を介してシート検出回路１１１ｂが出力しているシート検出信号を読み込んで、回路１１１ａから１１１ｂまでの移送路における用紙の移送異常を監視する。移送異常と判定すると、用紙の移送駆動を停止し定着ユニット４６への給電を停止して、表示回路１１４ａおよび１１４ｂに、表示指示信号（Ｌ）を出力する。更にＣＰＵ９１は、シート検出回路１１１ａが用紙先端を検出したときに用紙サイズ対応の時限値のタイマをスタートして、それがタイムオーバしたときにシート検出回路１１１ａがまだ用紙を検出しているとペーパジャムと判断して用紙の移送駆動を停止し定着ユニット４６への給電を停止して、表示回路１１４ａに表示指示信号（Ｌ）を出力する。また、シート検出回路１１１ｂが用紙先端を検出したときに用紙サイズ対応の時限値のタイマをスタートして、それがタイムオーバしたときにシート検出回路１１１ｂがまだ用紙を検出しているとペーパジャムと判断して用紙の移送駆動を停止し定着ユニット４６への給電を停止して、表示回路１１４ｂに表示指示信号（Ｌ）を出力する。各タイマの各時限値は、給紙トレイ５１〜５３とシート検出回路１１１ａの間の用紙繰り出し移送の距離，シート検出回路１１１ａ，１１１ｂ間のシート移送距離，搬送される用紙の大きさ、に依存するものであり、距離が長いと、或いは用紙サイズが大きいと、それに比例して時限値も長くなる。各時限値は、ＲＯＭ９２に保存されている。搬送される用紙の大きさ対応の時限値は、用紙サイズに基づいてＲＯＭ９２から読み出される。
【００６０】
インターフェース回路１０４には、信号ラインをＯＮ（導通）／ＯＦＦ（遮断）するスイッチング回路であるゲート１０７，１０８およびインバータ１０６があり、スタンバイモードでは、制御動作電圧＋５Ｖが、インバータ１０６およびゲート１０８に印加される。インバータ１０６によって、制御動作電圧＋５Ｖがあるとき（スタンバイモードのとき）には、ゲート１０７にＯＮ指示電位が与えられ、これによりゲート１０７はＯＮであり、ＣＰＵ９１がＩ／Ｏ制御１００から出力する表示指示信号（Ｌ）が、ゲート１０７を通して表示回路１１４ａ，１１４ｂの表示指示入力ラインに与えられる。る。一方、制御動作電圧＋５Ｖによって、ゲート１０８はＯＦＦであるので、シート検出回路１１１ａ，１１１ｂのシート検出信号出力ラインは、表示回路１１４ａ，１１４ｂの表示指示入力ラインから遮断されている。したがって、表示回路１１４ａ，１１４ｂには、ＣＰＵ９１が発生する表示指示信号（Ｌ）が与えられる。
【００６１】
しかし休止モードでは、休止モードでも＋５Ｖの電圧である休止活動電圧＋５ＶＥが、シート検出回路１１ａ，１１１ｂおよび表示回路１１４ａ，１１４ｂに印加されており、休止モードでは、制御動作電圧＋５Ｖはインターフェース回路１０４に与えられないので、ゲート１０７がＯＦＦ、ゲート１０８がＯＮであり、ゲート１０８を介して、シート検出回路１１１ａのシート検出信号（シートあり：Ｌ／シートなし：Ｈ）が表示回路１１４ａに、また、シート検出回路１１１ｂのシート検出信号（シートあり：Ｌ／シートなし：Ｈ）が表示回路１１４ｂに与えられる。したがって、休止モードのときにシート検出回路１１１ａがシートを検出していると、すなわちシート検出回路１１１ａの場所でペーパジャム又は用紙滞留があると、シート検出回路１１１ａのシート検出信号がＬでこれがゲート１０８を通して表示回路１１４ａのトランジスタ１１５ａに印加され、トランジスタ１１５ａが導通してＬＥＤ１１６ａに通電し、ＬＥＤ１１６ａが点灯（発光）する。休止モードのときにシート検出回路１１１ｂがシートを検出していると、シート検出回路１１１ｂのシート検出信号がＬでこれがゲート１０８を通して表示回路１１４ｂのトランジスタ１１５ａに印加され、トランジスタ１１５ｂが導通してＬＥＤ１１６ｂに通電し、ＬＥＤ１１６ｂが点灯（発光）する。
【００６２】
すなわち、動作モードのときに用紙トラブルが発生し、シート検出回路１１１ａおよび又は１１１ｂのシート検出信号に基づいてＣＰＵ９１が用紙トラブルを認識してコピー又は印刷を中断するとともに表示回路１１４ａおよび又は１１４ｂを点灯にして、それから設定時間Ｔｄ１が過ぎて、ＣＰＵ７１が電源回路２００をスタンバイモードから休止モードに切換えると、動作電圧＋５Ｖが消えるので、ＣＰＵ９１の表示制御出力が消えるとともにゲート１０７がＯＦＦに、ゲート１０８がＯＮに切換わり、ゲート１０８を通して、シート検出回路１１１ａのシート検出信号ラインが表示回路１１４ａの表示入力ラインに接続されかつ、シート検出回路１１１ｂのシート検出信号ラインが表示回路１１４ｂの表示入力ラインに接続される。これにより、シート検出回路１１１ａがシートを検出していると表示回路１１４ａのＬＥＤ１１６ａが点灯し、シート検出回路１１１ｂがシートを検出していると表示回路１１４ｂのＬＥＤ１１６ｂが点灯する。すなわち、表示回路１１４ａおよび又は１１４ｂが、休止モードに切換っても、ＬＥＤの点灯を継続する。
【００６３】
このように、休止モードに移行してもペーパトラブルを表す表示が継続する。装置使用者は装置が休止モード（低電力モード）になっていたとしても装置の状況（正常／異常）を知ることができる。また、比較的に簡易な構成（１０６〜１０８）の付加によって、休止モードでのペーパトラブルを表す表示を継続することが出来る。
【００６４】
なお、シート検出回路１１１ａは、発光ダイオード１１２ａとフォトトランジスタ１１３ａを対向配置してそれらの間に用紙が通る空間を形成した透過型光センサに変更することも出来る。この場合、用紙があるときにシート検出信号がＨとなるので、シート検出回路１１１ａの信号出力段にインバータを介挿する。あるいは、表示回路１１４ａの指示信号入力段にインバータを介挿する。この場合は、ＣＰＵ９１の、シート検出信号のレベル（Ｌ／Ｈ）に対する用紙有無判定のロジックを変更する必要がある。シート検出回路１１１ｂも、同様に透過型光センサに変更することが出来る。また、シート検出回路１１１ａ，１１１ｂともに直接に用紙を検出するが、これらを、先端が用紙によって上又は下に駆動され後端には反射板又は遮光板が備わって、回転可能に支持したレバー機構を付設して、用紙の存否により反射板又は遮光板が光センサの視野に進入又は離脱する、シート検出回路、に変更することも出来る。また、該レバー機構の運動によってマイクロスイッチのＯＮ／ＯＦＦを切り換えるシート検出回路、に変更することも出来る。
【００６５】
図６に、コントローラ７０（のＣＰＵ７１）が実行する、スタンバイモード／休止モード間の切換え制御を示す。電源回路２００（図４）と商用交流電源ＡＣ（コンセント）との間のメインスイッチ２０１が閉じて電源回路２００が動作電圧を与えると、コントローラ７０のＣＰＵ７１は、電源オン応答の初期化処理（Ｓ１）をして、そこでスタンバイモードを設定する（Ｓ２）。すなわちスイッチ２０３，２０４をオンする。そして省エネモードレジスタＦＭのデータを、スタンバイモードを表わす「０」とし、スタンバイモードから休止モードへの切換え待ち時間Ｔｄ１を時限値とするタイマＴｄ１をスタートする。
【００６６】
スタンバイモードが設定されたことにより、複写機ＭＦ１の各部に動作電圧が投入される。操作ボード１０のＣＰＵは、スタンバイモードの設定（Ｓ２）による動作電圧の印加に応答して電源オン初期化を実行して、操作ボード１０内のＮＶＲＡＭにある標準処理モードのコピー条件を読み出して操作ボード１０の液晶タッチパネルに表示する。
【００６７】
図６の入力読取（Ｓ３）では、操作ボード１０のＣＰＵが操作ボード１０に対するユーザの操作を読み込んでコントローラ７０のＣＰＵ７１に報知し、また、コントローラ７０のＣＰＵ７１が、パソコンＰＣおよびＦＣＵ６０からのコマンドを解読する。操作ボード１０のＣＰＵは、画像処理モードキー入力の読取りと液晶タッチパネルの表示の切換え、操作ボード１０に対するユーザの操作に対応して、置数キーの押下の読込みと入力数字データの生成，スタートキーの押下の読込みと、スタート指示のコントローラ７０への転送，用紙サイズの切換え入力の読取りなど、通常の複写機の操作読取りおよび表示出力の制御を行う。
【００６８】
スタンバイモードから休止モードへの切換えの待ち時間Ｔｄ１は、操作ボード１０から入力できるものであり、入力値が操作ボード１０のＮＶＲＡＭに格納（登録）されているものである。
【００６９】
図６の「入力読取」（３）で、パソコンＰＣから印刷指示を受けると、あるいはＦＣＵ６０がファクシミリ受信を報知してくると（Ｓ５）、ＣＰＵ７１は電源回路２００を、休止モードであると、スタンバイモードに切換える（Ｓ６）。「入力読取」（Ｓ３）で、指示入力、例えば、操作ボード１０に対するユーザの操作（画像処理モード指定キーのタッチ，置数キーの押下，スタートキーの押下，用紙サイズの切換え，その他）を受けるとコントローラ７０のＣＰＵ７１は、指示入力に対応した処理に進む（Ｓ５−Ｓ７−Ｓ８）。ここでスタートキーの押下，印刷指示又はファクシミリ受信があった場合には、給紙トレイ５１〜５３のいずれかから用紙を繰り出しレジストローラ対４７に送り込み、レジストローラ対４７から搬送ベルト４５に用紙を送り出すシート移送を開始する。すなわちコピー又は印刷の作業を開始する。そして正常に終了すると、あるいは中断すると、タイマＴｄ１をスタートして（Ｓ９）「入力読み取り」（Ｓ３）に進む。「入力読み取り」（Ｓ３）でコピー又は印刷指示入力がなく、しかもＰＣから印刷指示がなく、また、ファクシミリ受信がなく、Ｔｄ１が経過してタイマＴｄ１がタイムオーバすると、休止モードを設定する（Ｓ３−Ｓ４−Ｓ１３−Ｓ１４−Ｓ１１）。
【００７０】
「入力読取」（Ｓ３）で、スタンバイモードを設定しているときに操作ボード６にある電源キー１９がオンすると操作ボード１０のＣＰＵおよびコントローラ７０のＣＰＵ７１は、ユーザが休止モードへの切換えを指示したとみなして（Ｓ７，Ｓ１０）、液晶タッチパネル表示中の画像処理モードを、操作ボード１０内のＮＶＲＡＭに前回モードとして書込み、休止モードに移行する（Ｓ１１）。休止モードに移行するとＣＰＵ７１は、状態変化検知回路ＡＣＤが変化検出信号を発生するのを待ち（Ｓ１２）、変化検出信号が発生すると、電源回路２００をスタンバイモードに設定する（Ｓ６）。なお、変化検出信号を発生するのを待っている間、ＰＣから印刷コマンドが到来すると、或いはファクシミリ受信があると、電源回路２００をスタンバイモードに設定する（Ｓ６）。
【００７１】
休止モードを設定しているときに操作ボード１０の電源キー１９がオンするとＣＰＵ７１は、ユーザがスタンバイモードへの切換えを指示したとみなして、スタンバイモードを設定し、操作ボード１０内のＮＶＲＡＭに書き込んでいる前回画像処理モードを読出して操作ボード１０の液晶タッチパネルに表示する（Ｓ７−Ｓ１０−Ｓ６）。
【００７２】
図６の「入力読取」（Ｓ３）で指示入力がないと、指示入力を待っている間、タイマＴｄ１がタイムオーバしたかをチェックする（Ｓ４−Ｓ１３，Ｓ１４）。そして指示入力が無くタイマＴｄ１がタイムオーバすると、コントローラ７０のＣＰＵ７１は、休止モードに移行する（Ｓ１４−Ｓ１１）。
【００７３】
なお、上記実施例では、状態検出手段の代表例であるシート検出回路１１１ａ，１１１ｂを示したが、その他の、放置が好ましくない異常状態を検出する状態検出手段に対しても、本願発明を同様に実施できる。
【図面の簡単な説明】
【００７４】
【図１】本発明の１実施例のシート移送装置を装備した複合機能フルカラー複写機の縦断面図である。
【図２】図１に示す複写機の画像処理システムの概要を示すブロック図である。
【図３】図２に示す操作ボードの外観を示す拡大平面図である。
【図４】図１に示す複写機の電源回路２００の構成の概要を示すブロック図である。
【図５】図２に示すエンジン制御９０と、センサ，ＬＥＤ１１０のシート検出回路および表示回路との間の、シート検出信号のルートと表示指示信号のルートを示すブロック図である。
【図６】図２に示すコントローラ７０のＣＰＵ７１が行う、電源回路２００のモード切換え制御の概要を示すフローチャートである。
【符号の説明】
【００７５】
１０：操作ボード
２０：カラー原稿スキャナ
３０：自動原稿供給装置
４０：カラープリンタ
４１：転写ベルト
４２：転写ローラ
４３：光書込みユニット
４４：帯電ローラ
４５：搬送ベルト
４６：定着ユニット
４７：レジストローラ対
５１〜５３：給紙トレイ
ＰＣ：パソコン
ＰＢＸ：交換器
ＰＮ：通信回線
２００：電源回路
【図１】
2008298987.tif 000003
【図２】
2008298987.tif 000004
【図３】
2008298987.tif 000005
【図４】
2008298987.tif 000006
【図５】
2008298987.tif 000007
【図６】
2008298987.tif 000008